(57)【要約】【課題】通路部を確保した状態で引戸を安全に固定することができる門扉装置を提供する。【解決手段】門Ｇを開閉するために前記門の一端側から他端側に向けて移動可能な引戸１と、引戸１の移動を誘導するための引戸レール２とを備え、引戸１は、引戸レール２に沿って走行する走行体３と、任意の位置で移動できないようにするための固定装置４とを備え、固定装置４は、門Ｇの通路面部６と接触する接触部４１を有し、接触部４１を通路面部６に接触させて引戸１が固定された固定状態と、接触部３１が通路面部６から離れて引戸１が移動可能な状態とを可逆的に変更できるように構成する。【選択図】  図１
2018017009.tif 000002
【特許請求の範囲】
【請求項１】
門を開閉するために前記門の一端側から他端側に向けて移動可能な引戸と、
前記引戸の移動を誘導するための引戸レールとを備え、
前記引戸は、引戸レールに沿って走行する走行体と、任意の位置で移動できないようにするための固定装置とを備え、
前記固定装置は、門の通路面部と接触する接触部を有し、前記接触部を通路面部に接触させて引戸が固定された固定状態と、前記接触部が通路面部から離れて引戸が移動可能な状態とを可逆的に変更できるものであることを特徴とする門扉装置。
【請求項２】
前記固定装置は、前記接触部を通路面部に接触させて引戸が固定された固定状態において、引戸の走行体が引戸レールから離れていることを特徴とする請求項１に記載の門扉装置。
【発明の詳細な説明】
【技術分野】
【０００１】
本発明は、門を開閉するための引戸等の扉体を止めた状態を安全に維持することができる門扉に関する。
【背景技術】
【０００２】
一般に、建物の外構や敷地境界部における門には、開閉するための門扉が設けられている。門の開閉させる手段としては、例えば、門柱に対して回動可能に取り付けた門扉によって開閉させる形態や、門柱間を移動する引戸によって開閉させる形態があり、後者に用いられる門扉としては、移動方向に折り畳み可能な形態や、移動方向に長くに形成された形態等の引戸を挙げることができる。
【０００３】
この中で引戸は、門の通行幅が比較的広い場所に用いられることが多い。したがって、引戸を全開状態、施錠した閉止状態のみでなく、引戸を途中まで開けて通路を確保した状態で使用する場合もある。しかし、このままでは、設置箇所の僅かな傾斜によっても、風が吹いても、引戸が動き出すことがある。
【０００４】
引戸の固定方法としては、例えば、引戸の本体に上下に移動可能な落とし棒を取付けておき、地面に設けた受け孔内に落とし棒を挿入するものである。この場合、構造も単純でコストも安価で済むが、受け孔を設けた位置でしか引戸を固定することができない。任意の場所に設けることは難しく、また、受け孔に土埃やゴミ等が堆積して経時的に落とし棒が入りにくい状態となるおそれがある。
【０００５】
例えば、特許文献１には、扉体の下部に車輪を備え通路部を開閉可能に移動する門扉であって、車輪に当接可能なブレーキパッドと、車輪にブレーキパッドが当接するよう付勢する弾性部材とから成り、一つの車輪に常時ブレーキ力を作用する制動手段と、門扉移動端の把手に連結され、把手の門扉移動方向に向けた揺動により前記ブレーキ力を解除する解除手段とから成る移動制御装置を設けた門扉が提案されている。これにより、風等の作用により独りでに自走するのを防止するものである。
【先行技術文献】
【特許文献】
【０００６】
【特許文献１】特許４１８２０２１号公報
【発明の概要】
【発明が解決しようとする課題】
【０００７】
ところで、前記特許文献１の門扉において、移動制御装置は車輪の制動手段を有するところ、車輪は地面付近を移動するため、砂埃等が付着しやすく、その結果、経時的に車輪に対する制動力が低下するおそれがあった。また、砂埃等が付着しやすい環境でありながら、移動制御装置自身の機構や、車輪と連動するための機構が複雑になりがちであるため、長期的に利用すると故障しやすいという問題点もあった。
【０００８】
本発明は、前記の如き問題点を解消し、通路部を確保した状態で引戸を安全に固定することができる門扉装置を提供する。
【課題を解決するための手段】
【０００９】
上記目的を達成するために、本発明は次のような構成としている。
すなわち本発明に係る門扉装置は、門を開閉するために前記門の一端側から他端側に向けて移動可能な引戸と、前記引戸の移動を誘導するための引戸レールとを備え、前記引戸は、引戸レールに沿って走行する走行体と、任意の位置で移動できないようにするための固定装置とを備え、前記固定装置は、門の通路面部と接触する接触部を有し、前記接触部を通路面部に接触させて引戸が固定された固定状態と、前記接触部が通路面部から離れて引戸が移動可能な状態とを可逆的に変更できるものであることを特徴とするものである。
【００１０】
本発明に係る門において、前記固定装置は、前記接触部を通路面部に接触させて引戸が固定された固定状態において、引戸の走行体が引戸レールから離れているように構成してもよい。
【発明の効果】
【００１１】
本発明によれば、前記固定装置は、門の通路面部と接触する接触部を有し、前記接触部を通路面部に接触させて引戸が固定された固定状態と、前記接触部が通路面部から離れて引戸が移動可能な状態とを可逆的に変更できるので、引戸を走行させて固定したい位置で固定装置を操作すれば、その位置で引戸を固定することができる。また、接触部にも引戸の自重がかかるので、引戸を固定した状態で無理に引戸を動かしたとしても、接触部と地面との間に比較的大きな摩擦力が発生しやすく、引戸は容易には移動しない。
【００１２】
本発明において、前記固定装置は、前記接触部を通路面部に接触させて引戸が固定された固定状態において、引戸の走行体が引戸レールから離れているように構成にすれば、接触部に引戸の自重が更にかかるので、引戸を固定した状態で無理に引戸を動かしたとしても、接触部と地面との間に更に大きな摩擦力が発生しやすくなり、引戸は更に容易には移動しなくなって好ましい。
【図面の簡単な説明】
【００１３】
【図１】本発明に係る門において実施の一形態を示す説明図である。
【図２】図１の平面図である。
【図３】図１のＡ−Ａ線の主要部の拡大断面図である。
【図４】図１のＢ−Ｂ線の主要部の拡大断面図である。
【図５】図４の説明図である。
【図６】図４の説明図である。
【図７】図４の説明図である。
【発明を実施するための形態】
【００１４】
次に、本発明を実施するための最良の形態について図面を参照し、具体的に説明する。
【００１５】
図１は本発明に係る門扉装置Ｐにおいて実施の一形態を示す正面図、図２は本発明に係る門扉装置Ｐにおいて実施の一形態を示す平面図であって、図１は門Ｇが一部開いた状態、図２は門Ｇが閉止した状態を示している。本形態に係る門扉装置Ｐは、門Ｇを開閉するための引戸１と、引戸１の移動を誘導する引戸レール２と備え、更に引戸１は、引戸レール２上を走行する走行体３と、引戸１が任意の位置で移動しないように固定するための固定装置４とを備えている。
【００１６】
引戸１は、門Ｇを開閉するために門Ｇの一端側から他端側、つまり、門Ｇを開く方向と、門Ｇを閉じる方向に移動可能となされるとともに、走行体３を介して引戸レール２に沿って移動可能となる。
【００１７】
引戸１は、走行体３が取付けられた土台部１１と、土台部１１間に取付けられた引戸パネル１２とを備えている。本形態では、土台部１１は引戸レール２の長手方向に沿って複数配置され、土台部１１間に取付けられた引戸パネル１２同士が前記長手方向に摺動可能に連結されている。
【００１８】
引戸１は、引戸レール２に沿って引戸をＸ方向に移動させることによって門Ｇを閉じ、その逆方向に移動させることにより門Ｇを開けて通過可能とするものであって、門Ｇの開閉をするために、少なくとも門Ｇを閉鎖するために必要な長さを有していればよく、本形態のように、門Ｇの門柱５間の長さを有した長尺体でもよく、引戸レール２の長手方向に対して伸縮可能な形態でもよい。後者としては、複数の引戸を引戸レールの長手方向に対して互いに摺動可能に連結した連結した形態、Ｘ字状に配置した部材を複数連結するとともに、その交差箇所・連結箇所を軸として回転可能とした部材同士を引戸レールの長手方向に沿って連結した、いわゆる、アコーディオン型の形態を挙げることができる。
【００１９】
図３は図１のＡ−Ａ断面における主要部の拡大断面図である。引戸１の走行体３は、引戸レール２上を走行する車輪３１と、車輪３１を軸支する車輪支持部３２とを備えており、車輪支持部３２を介して引戸１の土台部１１に取付けられている。つまり土台部１１の両端に走行体３が取付けられている。土台部１１は、本形態では、断面矩形状の桟材であるが、図示しないが、例えば、平面視矩形状の枠体や板状体に適宜走行体を取付けたものでもよい。更に本形態では、走行体３は引戸レール２の長手方向には走行可能であるが、引戸レール２と交差する方向や上下方向への移動は規制されている。
【００２０】
引戸レール２は、図２に示すように、門Ｇにおいて通行人や車両等が通行するＹ方向に対してそれを横切って設けられており、本形態では、引戸レール２は二個一対で設けられているが、その個数は、引戸１の走行体３の配置や取付個数に応じて適宜設定することができる。
【００２１】
引戸レール２は、図３に示すように、走行体３の車輪３１が走行する走行面部２１を備え、長手方向に沿って連続して形成されており、一般には、走行面部２１と通行人や車両等が通行する通路面部６とが略面一となるように埋設されている。
【００２２】
門柱５は、図１，図２に示すように、門Ｇの両側端に設けられたものであって、本形態のように、引戸１の長手方向と同方向に延びる壁状に形成されたものでもよく、柱状に形成されたものでもよく、本形態のように、これらを組み合わせた形態であって、具体的には図２に示すように、門Ｇの両側に壁状の門柱５が設けられており、門柱５よりも敷地内側に引戸レール２が設けられ、更に、引戸１を施錠するための錠門柱５１が門柱５とは別に敷地内側に設けられたものであるが、設置場所に応じて適宜設定することが可能であり、例えば、門柱５と錠門柱５１とを一体的に設けたものでもよい。
【００２３】
図４は図１のＢ−Ｂ断面における主要部の拡大断面図、図５は図４の説明図であって、固定装置４を操作した後の拡大断面図である。固定装置４は、図５に示すように、引戸１を走行可能な状態と、図５に示すように引戸１が走行しないように固定した状態とを可逆的に変更できるものである。
【００２４】
固定装置４は、本形態では、引戸パネル１２の下枠１２ａにボルト・ナットを介して固定されており、その下面４１ａが通路面部６の上面に接触しうる接触部４１と、接触部４１より上方に配置されて接触部４１の上方を覆う押圧部４２と、押圧部４２より上方に配置されて押圧部４２を接触部４１側に付勢する弾性部４３と、接触部４１を通路面部６側に移動させて接触させるための第一操作部４４と、通路面部６に接触した接触部４１の下面４１ａを通路面部６から離すための第二操作部４５とを備えている。一方の操作部を操作すると、作業者が操作を終えた後は、その状態が維持されるとともに、他方の操作部を操作することによって、その状態が解除されて他の状態に変更されて変更後の状態が維持されるものである。
【００２５】
次に、引戸１を固定するための固定装置の操作方法について詳しく説明する。図６は図４の説明図であって、左側は固定装置４の操作前の状態を示し、右側は固定装置４の操作後の状態を示す説明図である。引戸１を固定したい位置まで移動させた状態では、図６の左側に示すように、固定装置４において、接触部４１の下面４１ａは通路面部６から離れた状態である。続いて、第一操作部４４を操作して、図６の右側に示すように、接触部４１の下面４１ａを通路面部６に接触させる。
【００２６】
本形態では、接触部４１はゴム弾性を有する合成樹脂製であって円盤状に形成されており、その上に接触部４１より大径で金属製の押圧部４２が配置されている。接触部４１の下面４１ａから通路面部６までの間隔Ｌ１は、第一操作部４４を操作することによって、接触部４１が下方に移動する移動距離Ｌ２よりも小さい。したがって、移動距離Ｌ２と間隔Ｌ１との差に起因して、図５に示すように、接触部４１が収縮して通路面部６に対して密着しやすくなるとともに、弾性部４３を弾性的に圧縮させて、押圧部４２を介して接触部４１の下面４１ａを通路面部６側に強固に押圧することができる。
【００２７】
これによって、接触部４１と通路面部との接触面の面積を十分に確保できるとともに、その接触面に対して強固に押圧することができるので、引戸１を移動させようとしても接触部４１と通路面部６との間で生じうる摩擦力に抗して移動させることが困難となり、引戸１を固定したい位置で固定することができる。本形態では、第一操作部４４は横方向に広がる平板状のペダル部４４ａを備えており、作業者はペダル部４４ａを踏み込むことによって、第一操作部４４を操作することができるので、引戸１を固定するための操作が容易となる。
【００２８】
引戸１を移動させたい時は、図５に示す第二操作部４５を操作することによって、図４４に示すように通路面部６に押圧された接触部４１が通路面部６から離された状態となる。これにより、引戸１は移動可能となる。本形態では、第二操作部４５も横方向に広がる平板状のペダル部４５ａを備えており、作業者はペダル部４５ａを踏み込むことによって、第二操作部４５を操作することができるので、引戸１の固定状態の解除作業も容易となる。
【００２９】
固定装置４は、引戸１を移動させる作業者が操作しやすい位置に取付けられればよく、本形態では、引戸パネル１２の下枠１２ａに取付けたものであるが、例えば、土台部１１に取付けてもよい。また、本形態では、固定装置４は、接触部４１が二個一対の引戸レール２の間であって、引戸レール２と干渉しない位置で通路面部６と接触するように取付けられることが好ましい。
【００３０】
固定装置４は、本形態に限定されるものではないが、少なくとも、接触部４１と、接触部４１を操作して接触部４１を通路面部６に対して押圧することができる操作部を備えていればよい。また、固定装置４は、少なくとも一個設ければ良いが、二個以上設けた形態でもよい。
【００３１】
図７は図４の説明図であって、固定装置４を操作した後の変形を示す拡大断面図である。本形態では、第一操作部４４を操作した際、つまり、作業者がペダル部４４ａを踏み込んだ後、一部の走行体３の車輪３１が引戸レール２の走行面部２１から離れて、車輪３１と走行面部２１との間に隙間Ｌ３が生じるようにしている。これにより、通路面部６には、接触部４１から引戸１の荷重がかかりやすくなり、接触部４１から更に押圧されることとなり、接触部４１と通路面部６との間で生じうる摩擦力が更に大きくなるので、引戸１は第一操作部４４を操作した位置で更にしっかり固定される。
【００３２】
本形態では、引戸レール２は、走行体３が有するガイド部３３が挿入される溝部２２を有している。ガイド部３３は、土台部１１に取付けられた走行体３の車輪３１より外側に取付けられて、下端部が内側に延びる断面略Ｌ字状となされている。一方、溝部２２は、上方に向けて開口しており、ガイド部３３の下端部が配置される規制部２３を備えている。これにより、固定装置４を操作して引戸１を固定する際、走行体３の車輪３１が走行面部２１から離れて、ガイド部３３が連動して上方向に移動しても、規制部２３は、その移動を許容する空間を備えており、車輪３１が引戸レール２から大きく離脱することはなく、また、引戸１の固定を解除した場合に、車輪３１が走行面部２１上に戻りやすくなる。
【００３３】
以上、本発明の門扉装置について、実施形態に基づいて説明したが、本発明は、これらの実施形態に限定されるものではない。本発明の要旨を逸脱しない範囲内で当業者が思いつく各種変形を施したものも本発明の範囲内に含まれる。
【産業上の利用可能性】
【００３４】
本発明に係る門扉装置によれば、通路部を確保した状態で引戸を安全に固定することができるので、引戸レールに沿って移動する引戸について好適に利用することができる。
【符号の説明】
【００３５】
１    引戸
１１  土台部
１２  引戸パネル
１２ａ  下枠
２    引戸レール
２１  走行面部
２２  溝部
２３  規制部
３    走行体
３１  車輪
３２  車輪支持部
３３  ガイド部
４    固定装置
４１  接触部
４１ａ  下面
４２  押圧部
４３  弾性部
４４  第一操作部
４４ａ  ペダル部
４５  第二操作部
４５ａ  ペダル部
４６  操作部
５    門柱
５１  錠門柱
６    通路面部
Ｇ    門
Ｐ    門扉装置
【図１】
2018017009.tif 000003
【図２】
2018017009.tif 000004
【図３】
2018017009.tif 000005
【図４】
2018017009.tif 000006
【図５】
2018017009.tif 000007
【図６】
2018017009.tif 000008
【図７】
2018017009.tif 000009